(57)【要約】【課題】空気調和機において、運転時間等の情報を容易に把握することができるようにすることで、動作不良品の運転履歴を瞬時に判断できるようにした空気調和機を提供することを目的とする。【解決手段】空気調和機の制御方法において、第１スイッチ８を所定時間以上押下とき（ステップＳＴ１）、通電積算時間Ｔ'によって告知方法を選択・設定し、表示部６の少なくとも１つのランプ６ａあるいはブザー６ｂの一方、もしくは両方の動作の組合せで通電積算時間Ｔ'の告知を行い、ランプ６ａが１周期Ｎ秒のうちに何回点滅するかどうかで通電積算時間Ｔ'が判る。例えば、通電積算時間Ｔ'がａ分以下であったときには（ステップＳＴ３）、Ｎ秒周期のうちランプ６ａがｎ1回点滅し（ステップＳＴ９）、通電積算時間Ｔ'を告知する。【選択図】図１ 
2005226899.tif 000002
【特許請求の範囲】
【請求項１】
冷凍サイクルを搭載した空気調和機であって、前記空気調和機の本体に少なくとも１つのランプと、ブザーと、第１のスイッチを設け、前記スイッチを所定の時間以上押下したとき、それ以前に行われた通電時間等を前記ランプあるいはブザーの一方、もしくは両方の動作の組合せで告知することを特徴とする空気調和機。
【請求項２】
通電時間が所定の時間以下であったとき、「非動作」であると判定し告知することを特徴とする、請求項１記載の空気調和機。
【請求項３】
通電時間はスイッチ押下以前の通電時間を累計加算されるものであることを特徴とする、請求項１〜２のいずれかに記載の空気調和機。
【請求項４】
通電時間を、運転モード各々の時間に区別して計測し告知することを特徴とする、請求項１〜３のいずれかに記載の空気調和機。
【請求項５】
第１のスイッチは、室内機と室外機のいずれか、あるいは両方に設けられたことを特徴とする、請求項１〜４のいずれかに記載の空気調和機。
【請求項６】
空気調和機の遠隔操作装置に第２のスイッチを設け、前記第２のスイッチが押下されたときに通電積算時間等の告知または表示を行うことを特徴とする、請求項１〜５のいずれかに記載の空気調和機。
【請求項７】
ランプは運転ランプとタイマーランプのいずれかよりなることを特徴とする、請求項１〜６のいずれかに記載の空気調和機。
【請求項８】
第１のスイッチあるいは、第２のスイッチを押下した時、運転モードと通電積算時間等の告知を順に行うことを特徴とする請求項１〜７のいずれかに記載の空気調和機。
【発明の詳細な説明】
【技術分野】
【０００１】
本発明は空気調和機において、その通電時間を記憶し、前記時間等の告知を行う空気調和機の制御装置に関するものである。
【背景技術】
【０００２】
従来、この種の空気調和機は運転時に生ずる通電時間、運転モード等の運転情報を記憶する機能を有している。そして記憶された通電時間の積算値が所定の時間を経過した時点で、フィルタの清掃等を促す告知を行う為に記憶された通電時間を使用しているものがある（例えば、特許文献１参照）。
【０００３】
図３は、特許文献１に記載された従来の空気調和機を示すものである。同図に示すように、室内機制御装置１と、制御部（マイクロコンピュータ）２と、積算タイマーＡと、リモコン３と、室内ＦＡＮ４と、室外機制御装置５等から構成されている。
【特許文献１】特開２００２−６１９９５号公報
【発明の開示】
【発明が解決しようとする課題】
【０００４】
しかしながら、前記従来の構成では、市場で発生した不良品を回収して解析する場合、運転時間、運転モード等の運転情報を容易に把握することができず、動作不良の解析をするのが困難であった。
【０００５】
本発明は、前記従来の課題を解決するもので、運転時間即ち通電時間を解析することが不良内容の推定に対し有力であるという点に着目し、運転時間等の情報を運転モード毎に容易に把握できるようにすることで、動作不良品の運転履歴を瞬時に判断できるようにし、不良解析を容易にした空気調和機を提供することを目的とする。
【課題を解決するための手段】
【０００６】
前記従来の課題を解決するために、本発明の空気調和機は、通電タイマー（内部タイマー）のカウント時間を計測し、運転時間（通電積算時間）とし、それを記憶する機能を有し、通電積算時間等によって告知方法を選択・設定し、空気調和機の本体に少なくとも１つのランプと、ブザーと、第１のスイッチを設け、前記スイッチを所定の時間以上押下とき、それ以前に行われた通電積算時間等を前記ランプあるいはブザーの一方、もしくは両方の動作の組合せで告知することを特徴とした空気調和機の制御方法およびその装置を提供するものである。
【発明の効果】
【０００７】
本発明の空気調和機は、ランプあるいはブザーの一方、もしくは両方の動作の組合せで通電積算時間等の告知を行うことにより、室内機単独で通電積算時間等の情報を容易に把握することができるようになり、市場で発生した不良品の解析を不良発生現場あるいは回収した後、容易にすることができ、迅速な対応を可能とすることができる。
【発明を実施するための最良の形態】
【０００８】
第１の発明は冷凍サイクルを搭載した空気調和機であって、前記空気調和機の本体に少なくとも１つのランプと、ブザーと、第１のスイッチを設け、前記スイッチを所定の時間以上押下したとき、それ以前に行われた通電積算時間等を前記ランプとブザーの片方、あるいは両方の動作の組合せで告知することにより、室内機単独で通電積算時間等の情報を容易に把握することができるようになり、動作不良品の運転履歴を瞬時に判断できる。
【０００９】
第２の発明は、特に、第１の発明の空気調和機において、通電積算時間が所定の時間以下であったとき、「非動作」であると判定し、告知することにより、ほとんど運転されていない又は未使用にて返却されている動作不良品が瞬時に判断でき、迅速な対応を可能とすることができる。
【００１０】
第３の発明は、特に、第１または第２の発明の空気調和機において、運転時間はスイッチ押下以前の通電時間を累計加算させたものとすることにより、通電積算時間が判るようになり、動作不良品の運転履歴を瞬時に判断でき、迅速な対応を可能とすることができる。
【００１１】
第４の発明は、特に、第１〜３のいずれか１つの発明の空気調和機において、通電積算時間のうち、各運転モードの時間を計測し、告知することにより、各運転モードの通電時間が容易に判るようになり、動作不良品の運転履歴を瞬時に判断することができる。
【００１２】
第５の発明は、特に、第１〜４のいずれか１つの発明の空気調和機において、第１のスイッチは、室内機と室外機のいずれか、あるいは両方に設けることにより、室内機または、室外機単独で通電積算時間等が容易に判るようになり、片方の空気調和機が無い場合でも動作不良品の運転履歴を瞬時に判断することができる。
【００１３】
第６の発明は、特に、第１〜５のいずれか１つの発明の空気調和機において、空気調和機の遠隔操作装置に第２の所定のスイッチを設け、第２のスイッチが押下された時に通電積算時間等を告知または表示することにより、空気調和機の遠隔操作装置で通電積算時間等が容易に判るようになり、動作不良品の運転履歴を瞬時に判断することができる。
【００１４】
第７の発明は、特に、第１〜６のいずれか１つの発明の空気調和機において、ランプは運転ランプとタイマーランプのいずれか１つを含むこととすることにより、運転ランプとタイマーランプの片方、あるいは両方の動作の組合せで通電時間の告知をすることが可能となり、通電積算時間等の運転情報を容易に把握することができる。
【００１５】
第８の発明は、特に、第１〜７のいずれか１つの発明の空気調和機において、第１のスイッチあるいは、第２のスイッチを押下した時、運転モードと通電積算時間等の告知を順に行うことにより、運転モードと通電積算時間等の告知との切換をすることが可能となり、容易に動作不良品の運転履歴を瞬時に判断することができる。
【００１６】
以下、本発明の実施の形態について、図面を参照しながら説明する。なお、この実施の形態によって本発明が限定されるものではない。
【００１７】
（実施の形態１）
本発明の空気調和機を実施の形態の図１および図２を参照して詳細に説明する。
【００１８】
図２は本発明の空気調和機の制御ブロック図である。同図において、室内機制御装置１は、通電積算時間Ｔ'を記憶する通電時間積算部２ａと故障記憶の有無（故障記憶Ｃ）を記憶する故障記憶部２ｂとを有する制御部２を備え、第２スイッチ３ａを有する遠隔操作装置３の設定操作に応じて当該室温コントロールを行うために、室内ファン４を制御、駆動する一方、ランプ６ａとブザー６ｂを備えた表示部６を制御し、圧縮機７の運転周波数等の指令を室外機制御装置５に送信するとともに、その室外機制御装置５との間で信号の授受を行う構成となっている。
なお、少なくとも上記通電時間積算部２ａ、故障記憶部２ｂおよび制御部２はマイクロコンピュータによって実現する。
また、本発明の空気調和機は、他に室温コントロールに必要な冷凍サイクルの部位や各種センサー、応急運転（試運転等）のための第１スイッチ８を備えている。
【００１９】
以上のように構成された空気調和機について、以下その動作、作用を説明する。
【００２０】
まず、制御部２は、室内機の通電時間に応じて通電タイマーＴ（内部タイマー）を計測し、それ以前に行われた通電時間を通電積算時間Ｔ'に累積加算し、前記通電積算時間Ｔ'を通電時間積算部２ａに記憶するとともに、故障の有無の故障記憶Ｃを故障記憶部２ｂに記憶する。応急運転（試運転等）のための第１スイッチ８を所定の時間以上押下とき、前記通電積算時間Ｔ'と故障記憶Ｃによって告知方法を選択・設定し、表示部６の少なくとも１つのランプ６ａあるいはブザー６ｂの一方、もしくは両方の動作の組合せで通電積算時間Ｔ'と故障記憶Ｃの告知を行う。
【００２１】
また、第２スイッチ３ａを有する遠隔操作装置３は、当該室温の温度設定操作を行う一方、第２スイッチ３ａを押下したとき、それ以前に行われた通電積算時間Ｔ'を表示部６の少なくとも１つのランプ６ａとブザー６ｂの片方、あるいは両方の動作の組合せで告知または表示する。なお、第２スイッチ３ａは他の目的のためのスイッチと併用し、スイッチ操作方法によって機能を切り替えても問題はない。
【００２２】
また、第１スイッチ８は、前記スイッチを所定時間以上押下したとき、通電積算時間Ｔ'と故障記憶Ｃの告知モードとなり、前記スイッチを所定時間以外で押下ときは、運転モードになり、告知モードと運転モードの切換をすることができる。
【００２３】
次に、上記構成とした空気調和機の制御方法を図１のフローチャートを参照にして説明する。まず、遠隔操作装置３によって、所定操作が行われると、室内機制御装置1は遠隔操作装置３の運転内容を室外機制御装置５に送信するとともに、圧縮機７を駆動する運転周波数等を送信する。
【００２４】
これにより、当該空気調和機においては、その操作に応じた室温コントロールを行い、室内環境を遠隔操作装置３の設定値に近づけ、また室温を設定温度に維持する。なお、この室温コントロールについては、既に公知であることから、その説明を省略する。
このとき、制御部２は通電タイマーＴ（内部タイマー）をスタートする。なお、この通電タイマーＴは当該空気調和機を設置して運転した際に（最初の運転で）スタートし、また既にスタートしている場合には、リセットされない限り、それ以前に行われた通電時間を通電積算時間Ｔ'に累積加算していくことを継続する。
【００２５】
運転後、第１スイッチ８をＡ秒以上Ｂ秒未満押下とき（ステップＳＴ１）、前記通電積算時間Ｔ'を通電時間積算部２ａに記憶するとともに、故障の有無の故障記憶Ｃを故障記憶部２ｂに記憶する（ステップＳＴ２）。
【００２６】
続いて、通電時間積算部２ａの通電積算時間Ｔ'によって告知方法を選択・設定し、表示部６の少なくとも１つのランプ６ａとブザー６ｂの片方、あるいは両方の動作の組合せで通電積算時間Ｔ'と故障記憶Ｃの告知を行う。詳しくは、通電積算時間Ｔ'の判定を行い、ランプ６ａがＮ秒周期（Ｎ回）のうちに何回点滅するかどうかで通電積算時間Ｔ'の告知を行う。例えば、運転時間等の情報を容易に把握することで、動作不良品の運転履歴を瞬時に判断できる商品検収確認において、通電積算時間Ｔ'がａ分以下であったときには（ステップＳＴ３）、１周期Ｎ秒のうちランプ６ａがｎ1回点滅し（ステップＳＴ９）、通電積算時間を告知する。
【００２７】
さらに、このとき前記第１スイッチ８を押下以前の故障記憶Ｃの有無を判定し（ステッ
プＳＴ１５）、ブザー音のパターンで故障記憶の有無を告知する。故障記憶がない場合は、ブザー音Ｄがｎ7回鳴り（ステップＳＴ１６）、故障記憶がある場合は、ブザー音Ｅがｎ8回鳴る（ステップＳＴ１７）ようにしている。また、ブザー６ｂはランプ６ａと連動しており、ランプ６ａが点灯したときにブザー６ｂ音を鳴らすようにしている。
【００２８】
また、通電積算時間Ｔ'がｂ分以下であったときには（ステップＳＴ４）、１周期Ｎ秒のうちランプ６ａがｎ2回点滅する（ステップＳＴ１０）。
【００２９】
また、通電積算時間Ｔ'がｃ分以下であったときには（ステップＳＴ５）、１周期Ｎ秒のうちランプ６ａがｎ3回点滅する（ステップＳＴ１１）。
【００３０】
また、通電積算時間Ｔ'がｄ分以下であったときには（ステップＳＴ６）、１周期Ｎ秒のうちランプ６ａがｎ4回点滅する（ステップＳＴ１２）。
【００３１】
また、通電積算時間Ｔ'がｅ分以下であったときには（ステップＳＴ７）、１周期Ｎ秒のうちランプ６ａがｎ5回点滅する（ステップＳＴ１３）。
【００３２】
また、通電積算時間Ｔ'がｆ分より長いときには（ステップＳＴ８）、１周期Ｎ秒のうちランプ６ａがｎ6回点滅する（ステップＳＴ１４）。
【００３３】
なお、上記ランプ６ａとブザー６ｂは、第１スイッチ８を所定の時間以上押下してから、Ｆ分後に停止状態に戻るものとする。
【産業上の利用可能性】
【００３４】
以上のように、本発明にかかる空気調和機の制御方法およびその装置は、通電時間を記憶し、それ以前に行われた通電積算時間を前記ランプとブザーの片方、あるいは両方の動作の組合せで告知することで、容易に通電積算時間等の情報を把握することが可能となるので、通電積算時間の告知以外にも、圧縮機のＯＮ時間の告知や、故障時の運転時間の告知、更には冷房/暖房/除湿/送風のモードでの各通電時間の告知を行う等の用途にも適用できる。
【図面の簡単な説明】
【００３５】
【図１】本発明の実施の形態１における空気調和機の制御フローチャート
【図２】本発明の実施の形態１における空気調和機の制御ブロック図
【図３】従来の空気調和機の制御ブロック図
【符号の説明】
【００３６】
１  室内機制御装置
２  制御部
２ａ  通電時間積算部
２ｂ  故障記憶部
３  遠隔操作装置
３ａ  第２スイッチ
４  室内ファン
５  室外機制御装置
６  表示部
６ａ  ランプ
６ｂ  ブザー
７  圧縮機
８  第１スイッチ
【図１】
2005226899.tif 000003
【図２】
2005226899.tif 000004
【図３】
2005226899.tif 000005